(57)【要約】【課題】安全性を確保しつつ走行中における入力装置の操作性を向上させることができる、入力装置、入力方法、及び入力プログラムを提供すること。【解決手段】車両に搭載される入力装置１であって、選択されるべき選択候補を表示する液晶パネル２ａと、音声を出力するスピーカ４と、車両が走行開始した時に、選択候補が所定基準を満たす場合に、各選択候補の選択に必要な情報を音声にて順次出力するようにスピーカ４を制御する出力制御部５ａと、各選択候補について共通に設定された動作を、スピーカ４から音声にて出力された選択候補のいずれかを選択するための入力として受け付けるタッチパネル２ｂとを備える。【選択図】図１
2011253304.tif 000002
【特許請求の範囲】
【請求項１】
車両に搭載される入力装置であって、
選択されるべき選択候補を表示する表示手段と、
音声を出力する出力手段と、
前記車両が走行開始した時に、前記選択候補が所定基準を満たす場合に、各選択候補の選択に必要な情報を音声にて順次出力するように前記出力手段を制御する制御手段と、
各選択候補について共通に設定された動作を、前記出力手段から音声にて出力された選択候補のいずれかを選択するための入力として受け付ける入力手段と、
を備える入力装置。
【請求項２】
前記制御手段は、前記車両が走行開始した時に、前記選択候補の数が所定数以下の場合に、各選択候補の選択に必要な情報を音声にて順次出力するように前記出力手段を制御する、
請求項１に記載の入力装置。
【請求項３】
前記制御手段は、前記車両が走行開始した時に、前記選択候補の選択に必要な情報を音声にて順次出力するための合計所要時間が所定時間以下の場合に、各選択候補の選択に必要な情報を音声にて順次出力するように前記出力手段を制御する、
請求項１又は２に記載の入力装置。
【請求項４】
前記入力手段は、前記表示手段における表示領域の任意の位置を触れる動作を、前記出力手段から音声にて出力された選択候補のいずれかを選択するための入力として受け付ける、
請求項１から３のいずれか一項に記載の入力装置。
【請求項５】
前記入力手段は、前記出力手段から前記選択候補の選択に必要な情報が音声にて出力されるタイミングに対応するタイミングで行われた前記動作を、当該選択候補を選択するための入力として受け付ける、
請求項１から４のいずれか一項に記載の入力装置。
【請求項６】
所定の入力に基づき情報を検索する情報検索手段を備え、
前記表示手段は、前記選択候補として、前記情報検索手段による情報検索結果を表示する、
請求項１から５のいずれか一項に記載の入力装置。
【請求項７】
所定の入力に基づき所定の機能を制御する機能制御手段を備え、
前記表示手段は、前記選択候補として、前記機能制御手段により制御される機能に対応する選択項目を表示する、
請求項１から６のいずれか一項に記載の入力装置。
【請求項８】
車両に搭載される入力装置により実行される入力方法であって、
選択されるべき選択候補を表示する表示ステップと、
音声を出力手段から出力する出力ステップと、
前記車両が走行開始した時に、前記選択候補が所定基準を満たす場合に、各選択候補の選択に必要な情報を音声にて順次出力するように前記出力手段を制御する制御ステップと、
前記選択候補について共通に設定された動作を、前記出力手段から音声にて出力された選択候補のいずれかを選択するための入力として受け付ける入力ステップと、
を含む入力方法。
【請求項９】
請求項８に記載の方法をコンピュータに実行させる入力プログラム。
【発明の詳細な説明】
【技術分野】
【０００１】
本発明は、入力装置、入力方法、及び入力プログラムに関する。
【背景技術】
【０００２】
従来、カーナビゲーションやカーオーディオ等の各種車載機器に対する操作入力を受け付けるための入力装置が用いられている。例えば、各種の表示画面を表示するディスプレイの前面に入力装置としてタッチパネルを設け、このタッチパネルに設定された操作領域の中で、ディスプレイの表示画面の一部として表示された操作ボタンに対応する操作領域が押圧されることで、検索語の設定や機能選択等の操作入力を受け付ける。
【０００３】
ところで、このような車載用の入力装置においては、運転者がディスプレイを注視せずに運転に集中できるようにするため、車両が走行中であると判定した場合には、タッチパネルやボタン等の操作手段に対する操作を規制することが行われている。さらに、運転に支障がない範囲でユーザの利便性を向上させるため、停車中に表示装置にボタンを表示していた表示時間に応じた個数のボタンの操作規制を解除するナビゲーション装置も提案されている（例えば、特許文献１参照）。
【先行技術文献】
【特許文献】
【０００４】
【特許文献１】特開２０１０−１４５２３号公報
【発明の概要】
【発明が解決しようとする課題】
【０００５】
しかしながら、上述の如き従来の装置では、検索後の設定や機能選択等のためにボタンを操作する必要がある場合には、運転者はタッチパネルを目視し、ボタンの位置等を確認した上で操作しなければならなかった。従って、選択対象となるボタンについての操作規制が解除されている場合であっても、走行中に運転操作に支障なくそのボタンを操作することは実質的に困難であり、操作性には更なる向上の余地があった。
【０００６】
本発明は、上記に鑑みてなされたものであって、安全性を確保しつつ走行中における入力装置の操作性を向上させることができる、入力装置、入力方法、及び入力プログラムを提供することを目的とする。
【課題を解決するための手段】
【０００７】
上述した課題を解決し、目的を達成するために、請求項１に記載の入力装置は、車両に搭載される入力装置であって、選択されるべき選択候補を表示する表示手段と、音声を出力する出力手段と、前記車両が走行開始した時に、前記選択候補が所定基準を満たす場合に、各選択候補の選択に必要な情報を音声にて順次出力するように前記出力手段を制御する制御手段と、各選択候補について共通に設定された動作を、前記出力手段から音声にて出力された選択候補のいずれかを選択するための入力として受け付ける入力手段と、を備える。
【０００８】
また、請求項２に記載の入力装置は、請求項１に記載の入力装置において、前記制御手段は、前記車両が走行開始した時に、前記選択候補の数が所定数以下の場合に、各選択候補の選択に必要な情報を音声にて順次出力するように前記出力手段を制御する。
【０００９】
また、請求項３に記載の入力装置は、請求項１又は２に記載の入力装置において、前記制御手段は、前記車両が走行開始した時に、前記選択候補の選択に必要な情報を音声にて順次出力するための合計所要時間が所定時間以下の場合に、各選択候補の選択に必要な情報を音声にて順次出力するように前記出力手段を制御する。
【００１０】
また、請求項４に記載の入力装置は、請求項１から３のいずれか一項に記載の入力装置において、前記入力手段は、前記表示手段における表示領域の任意の位置を触れる動作を、前記出力手段から音声にて出力された選択候補のいずれかを選択するための入力として受け付ける。
【００１１】
また、請求項５に記載の入力方法は、請求項１から４のいずれか一項に記載の入力装置において、前記入力手段は、前記出力手段から前記選択候補の選択に必要な情報が音声にて出力されるタイミングに対応するタイミングで行われた前記動作を、当該選択候補を選択するための入力として受け付ける。
【００１２】
また、請求項６に記載の入力方法は、請求項１から５のいずれか一項に記載の入力装置において、所定の入力に基づき情報を検索する情報検索手段を備え、前記表示手段は、前記選択候補として、前記情報検索手段による情報検索結果を表示する。
【００１３】
また、請求項７に記載の入力方法は、請求項１から６のいずれか一項に記載の入力装置において、所定の入力に基づき所定の機能を制御する機能制御手段を備え、前記表示手段は、前記選択候補として、前記機能制御手段により制御される機能に対応する選択項目を表示する。
【００１４】
また、請求項８に記載の入力方法は、車両に搭載される入力装置により実行される入力方法であって、選択されるべき選択候補を表示する表示ステップと、音声を出力手段から出力する出力ステップと、前記車両が走行開始した時に、前記選択候補が所定基準を満たす場合に、各選択候補の選択に必要な情報を音声にて順次出力するように前記出力手段を制御する制御ステップと、前記選択候補について共通に設定された動作を、前記出力手段から音声にて出力された選択候補のいずれかを選択するための入力として受け付ける入力ステップと、を含む。
【００１５】
また、請求項９に記載の入力プログラムは、請求項８に記載の方法をコンピュータに実行させる。
【発明の効果】
【００１６】
請求項１に記載の入力装置、請求項８に記載の入力方法、及び請求項９に記載の入力プログラムによれば、車両が走行開始した時に、選択候補が所定基準を満たす場合に、各選択候補の選択に必要な情報を音声にて順次出力するように出力手段を制御するので、所定基準を満たす選択候補に絞って、利用者が表示手段を目視しなくとも把握可能な態様で、当該各選択候補の選択に必要な情報を出力することができる。さらに、各選択候補について共通に設定された動作を、出力手段から音声にて出力された選択候補のいずれかを選択するための入力として受け付けるので、利用者に、タッチパネルを目視しボタンの位置等を確認しなくとも出力手段から出力された情報に基づいて簡易な動作を行うだけで所望の選択候補を選択させることができる。すなわち、安全性を確保しつつ走行中における入力装置の操作性を向上させることができる。
【００１７】
また、請求項２に記載の入力装置によれば、出力制御手段は、車両が走行開始した時に、選択候補の数が所定数以下の場合に、各選択候補の選択に必要な情報を音声にて順次出力するように出力手段を制御するので、車両走行開始後においても、利用者が運転操作に支障なく全ての選択候補の内容を音声にて把握できる場合に限って、利用者が表示手段を目視しなくても把握可能な態様で、当該選択候補の選択に必要な情報を出力することができ、利用者を混乱させることなく所望の選択候補を容易に選択させることができる。
【００１８】
また、請求項３に記載の入力装置によれば、出力制御手段は、車両が走行開始した時に、選択候補の選択に必要な情報を音声にて順次出力するための合計所要時間が所定時間以下の場合に、各選択候補の選択に必要な情報を音声にて順次出力するように出力手段を制御するので、利用者が運転操作に支障なく全ての選択候補の内容を音声にて把握できる場合に限って、利用者が表示手段を目視しなくても把握可能な態様で、当該選択候補の選択に必要な情報を出力することができ、利用者を混乱させることなく所望の選択候補を容易に選択させることができる。
【００１９】
また、請求項４に記載の入力装置によれば、入力手段は、表示手段における表示領域の任意の位置を触れる動作を、出力手段から音声にて出力された選択候補のいずれかを選択するための入力として受け付けるので、車両走行開始後であっても、利用者に、タッチパネルを目視しボタンの位置等を確認しなくとも表示手段における表示領域の任意の位置に触れるという簡易な動作を行うだけで所望の選択候補を選択させることができる。すなわち、安全性を確保しつつ走行中における入力装置の操作性を一層向上させることができる。
【００２０】
また、請求項５に記載の入力装置によれば、入力手段は、出力手段から選択候補の選択に必要な情報が音声にて出力されるタイミングに対応するタイミングで行われた動作を、当該選択候補を選択するための入力として受け付けるので、利用者に、タッチパネルを目視しボタンの位置等を確認しなくとも出力手段から選択候補の選択に必要な情報が音声にて出力されるタイミングに合わせて簡易な動作を行うだけで所望の選択候補を選択させることができる。すなわち、安全性を確保しつつ走行中における入力装置の操作性を一層向上させることができる。
【００２１】
また、請求項６に記載の入力装置によれば、表示手段は、選択候補として、情報検索手段による情報検索結果を表示するので、車両走行開始後においても、利用者に、タッチパネルを目視しボタンの位置等を確認しなくとも簡易な動作を行うだけで所望の情報検索結果を選択させることができる。
【００２２】
また、請求項７に記載の入力装置によれば、表示手段は、選択候補として、機能制御手段より制御される機能に対応する選択項目を表示するので、利用者に、タッチパネルを目視しボタンの位置等を確認しなくとも簡易な動作を行うだけで所望の機能に対応する選択項目を選択させることができる。
【図面の簡単な説明】
【００２３】
【図１】本発明の実施の形態に係る入力装置を例示するブロック図である。
【図２】入力規制処理のフローチャートである。
【図３】選択候補として情報検索結果が表示された液晶パネルを例示した図である。
【図４】選択候補として機能選択項目が表示された液晶パネルを例示した図である。
【図５】選択候補として５０音入力の次入力候補が表示された液晶パネルを例示した図である。
【図６】選択候補として機能選択項目が表示された液晶パネルを例示した図である。
【図７】選択入力受付処理のフローチャートである。
【発明を実施するための形態】
【００２４】
以下、本発明に係る入力装置、入力方法、及び入力プログラムの実施の形態について図面を参照しつつ詳細に説明する。ただし、この実施の形態によって本発明が限定されるものではない。なお、本発明に係る入力装置、入力方法、及び入力プログラムは、任意の目的に使用することができるが、この実施の形態では、カーナビゲーションシステムに適用した例を示す。
【００２５】
（構成）
最初に、本実施の形態に係る入力装置の構成について説明する。図１は本実施の形態に係る入力装置を例示するブロック図である。入力装置１は車両に搭載されるものであり、図１に示すように、モニタ２、操作部３、スピーカ４、制御部５、及びデータ記録部６を備えている。
【００２６】
（構成−モニタ）
モニタ２は、情報の表示出力を行う表示手段であると共に、利用者からの操作入力を受け付ける入力手段である。このモニタ２は、液晶パネル２ａ、及びタッチパネル２ｂを備えている。ここで、「利用者」とは、入力装置１を利用する全ての者（入力装置１が搭載された車両の運転者及び同乗者）を意味する。以下では、運転者及び同乗者のうち、その時点において入力装置１を操作している者を「利用者」と称する。
【００２７】
（構成−モニタ−液晶パネル）
液晶パネル２ａは、制御部５の制御に基づいて各種の情報を表示する表示手段である。この液晶パネル２ａとしては公知のものを用いることができる。また、表示手段として、液晶パネル２ａに代えて、例えば有機ＥＬディスプレイの如き任意の方式の表示手段を使用することができる。
【００２８】
（構成−モニタ−タッチパネル）
タッチパネル２ｂは、利用者の指等で押圧されることによって操作入力を受け付ける入力手段である。このタッチパネル２ｂは、透明又は半透明状に形成され、液晶パネル２ａの前面において当該液晶パネル２ａの表示面と重なり合うように設けられている。このタッチパネル２ｂとしては、例えば抵抗膜方式や静電容量方式等による操作位置検出手段を備えた公知のタッチパネルを使用することができる。
【００２９】
（構成−操作部）
操作部３は、上述のタッチパネル２ｂの他に、ユーザによる操作入力を受け付ける操作手段である。この操作部３の具体的な構成は任意であり、例えば、押しボタンやリモートコントローラの如き遠隔操作手段を用いて操作部３を構成することができる。
【００３０】
（構成−スピーカ）
スピーカ４は、制御部５の制御に基づいて各種の音声を出力する出力手段である。スピーカ４より出力される音声の具体的な態様は任意であり、必要に応じて生成された合成音声や、予め録音された音声を出力することができる。
【００３１】
（構成−制御部）
制御部５は、入力装置１を制御するためのものであり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る入力プログラムは、任意の記録媒体又はネットワークを介して入力装置１にインストールされることで、制御部５の各部を実質的に構成する。
【００３２】
この制御部５は、機能概念的に、出力制御部５ａ、情報検索部５ｂ、及び機能制御部５ｃを備えている。出力制御部５ａは、各種情報を音声にて出力するようにスピーカ４を制御する制御手段である。情報検索部５ｂは、所定の入力に基づき情報を検索する情報検索手段である。機能制御部５ｃは、所定の入力に基づき所定の機能を制御する機能制御手段である。これらの制御部５の各部によって実行される処理の詳細については後述する。
【００３３】
（構成−データ記録部）
データ記録部６は、入力装置１の動作に必要なプログラム及び各種のデータを記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３４】
このデータ記録部６は、例えば地図情報データベース６ａ（以下、データベースを「ＤＢ」と称する）や、音楽ＤＢ６ｂを備えている。
【００３５】
地図情報ＤＢ６ａは、地図情報を格納する地図情報格納手段である。「地図情報」は、例えばリンクデータ（リンク番号、接続ノード番号、道路座標、道路種別、車線数、走行規制等）、ノードデータ（ノード番号、座標）、地物データ（信号機、道路標識、ガードレール、建物等）、各種施設や地点等を案内するための地点データ（各地点の名称、各地点の位置、各地点の種別等を相互に関連付けた情報を含む）、地形データ、地図を液晶パネル２ａに表示するための地図表示データ等を含んで構成されている。音楽ＤＢ６ｂは、音楽情報を格納する音楽情報格納手段である。「音楽情報」は、音声データのほか、例えば曲名、アーティスト名、アルバム名、ジャンル等の属性データを含んで構成されている。
【００３６】
（構成−車速センサ）
入力装置１には、公知の車速センサ７から、車軸の回転数に比例する車速パルス信号等が入力される。
【００３７】
（処理）
次に、このように構成された入力装置１によって実行される処理について説明する。この処理は、入力規制処理と選択入力受付処理とに大別される。
【００３８】
（処理−入力規制処理）
最初に、入力規制処理について説明する。図２は入力規制処理のフローチャートである（以下の各処理の説明ではステップを「Ｓ」と略記する）。入力規制処理は、タッチパネル２ｂや操作部３に対する操作入力を規制するための処理であり、例えば入力装置１への電源投入後に繰り返し実行される。
【００３９】
図２に示すように、入力規制処理が開始されると、制御部５は、車速センサ７からの出力に基づき、車両が走行中か否かを判定する（ＳＡ１）。例えば、車速センサ７からの出力に基づき特定された車速が閾値（例えば５ｋｍ／ｈ）以上である場合、車両が走行中であると判定する。
【００４０】
その結果、車両が走行中であると判定した場合（ＳＡ１、Ｙｅｓ）、制御部５は、タッチパネル２ｂ及び操作部３に対する入力を規制する状態とする（ＳＡ２）。例えば、タッチパネル２ｂへの押圧や操作部３による操作を検出しても、入力として受け付けない状態とする。その後、制御部５は入力規制処理を終了する。
【００４１】
一方、車両が走行中ではないと判定した場合（ＳＡ１、Ｎｏ）、制御部５は、タッチパネル２ｂ及び操作部３に対する任意の入力を受け付ける状態とする（ＳＡ３）。この場合、例えば、液晶パネル２ａに表示された文字ボタン（図示省略）がタッチパネル２ｂを介して押圧されたことを検出することにより文字入力を受け付けたり、操作部３に含まれる画面切替ボタン（図示省略）が押圧されたことを検出することにより画面切替（例えば地図表示画面から機能選択画面への切り替え等）を指示する旨の操作入力を受け付けたりすることが可能となる。
【００４２】
また、選択されるべき選択候補が液晶パネル２ａに表示されている場合には、その選択候補のいずれかを選択するための入力をタッチパネル２ｂや操作部３を介して受け付けることが可能となる。ここで、「選択候補」には、例えば、ナビゲーションシステムにおいて目的地等の地点を選択する場合の地点の候補や、カーオーディオで再生する曲を選択する場合の曲名の候補、あるいはナビゲーションシステムやオーディオ等の機能を選択する場合の機能の候補等が含まれる。図３から図６は、選択候補が表示された液晶パネル２ａを例示した図であり、図３は選択候補として情報検索結果が表示された液晶パネルを例示した図、図４は選択候補として機能選択項目が表示された液晶パネルを例示した図、図５は選択候補として５０音入力の次入力候補が表示された液晶パネルを例示した図、図６は選択候補として機能選択項目が表示された液晶パネルを例示した図である。
【００４３】
例えば、タッチパネル２ｂを介した文字入力等により「おかざき」とのキーワードが入力され、この「おかざき」を名称に含む地点を検索する旨の指示入力がされた場合、情報検索部５ｂはデータ記録部６における地図情報ＤＢ６ａを参照し、「おかざき」を名称に含む地点名を公知の検索方法により検索する。その結果、「岡崎市」、「岡崎市役所」等の５２９件の地点名が検索された場合、図３（ａ）に示すように、情報検索部５ｂは検索結果の５２９件のうち例えば５件の地点名に対応するボタン２０を選択候補として液晶パネル２ａに表示させる。また、「おかざきしねま」とのキーワードが入力され、この「おかざきしねま」を名称に含む地点を検索する旨の指示入力がされた場合、情報検索部５ｂはデータ記録部６における地図情報ＤＢ６ａを参照し、「おかざきしねま」を名称に含む地点名を公知の検索方法により検索する。その結果、「岡崎シネマワールド本館」、「岡崎シネマワールド新館」、及び「岡崎シネマワールド前」の３件の地点名が検索された場合、図３（ｂ）に示すように、情報検索部５ｂは検索結果の３件の各地点名に対応するボタン２０を選択候補として液晶パネル２ａに表示させる。車両が走行中でなく、タッチパネル２ｂ及び操作部３に対する任意の入力を受け付ける状態の場合には、選択候補として表示された何れかのボタン２０に対応する位置でタッチパネル２ｂが押圧されることにより、押圧された位置に表示されているボタン２０を選択するための入力が受け付けられる。
【００４４】
また、例えば図３（ｂ）で液晶パネル２ａに表示されている地点名「岡崎シネマワールド本館」に対応するボタン２０がタッチパネル２ｂを介して押圧された場合、機能制御部５ｃは図４（ａ）に示すような機能選択画面を液晶パネル２ａに表示させる。この機能選択画面には、選択候補として、機能制御部５ｃにより制御される機能に対応する選択項目（図４（ａ）では各機能名「目的地設定」「地点登録」「周辺地図表示」に対応するボタン２１）が表示される。車両が走行中でなく、タッチパネル２ｂ及び操作部３に対する任意の入力を受け付ける状態の場合には、選択候補として表示された何れかのボタン２１に対応する位置でタッチパネル２ｂが押圧されることにより、押圧された位置に表示されているボタン２１を選択するための入力が受け付けられる。
【００４５】
さらに、例えば図４（ａ）で液晶パネル２ａに表示されている機能名「目的地設定」に対応するボタン２１がタッチパネル２ｂを介して押圧された場合、機能制御部５ｃは図４（ｂ）に示すような機能選択画面を液晶パネル２ａに表示させる。この機能選択画面には、選択候補として、機能制御部５ｃにより制御される機能に対応する選択項目（図４（ｂ）では各機能名「設定する」「キャンセル」に対応するボタン２２）が表示される。車両が走行中でなく、タッチパネル２ｂ及び操作部３に対する任意の入力を受け付ける状態の場合には、選択候補として表示された何れかのボタン２２に対応する位置でタッチパネル２ｂが押圧されることにより、押圧された位置に表示されているボタン２２を選択するための入力が受け付けられる。
【００４６】
また、図５に示すように、液晶パネル２ａに文字ボタン２３を表示させ、当該文字ボタン２３がタッチパネル２ｂを介して押圧されることにより「おかざきしねまわーるど」と入力された場合、情報検索部５ｂはデータ記録部６を参照し、「おかざきしねまわーるど」の末尾「ど」の次に入力される可能性のある文字を公知の入力予測方法を用いて予測する。その結果、「し」「ほ」及び「ま」の３文字が予測された場合、図５に示すように、情報検索部５ｂは当該３文字に対応する文字ボタン２３を選択候補として液晶パネル２ａ上で強調表示させる。車両が走行中でなく、タッチパネル２ｂ及び操作部３に対する任意の入力を受け付ける状態の場合には、選択候補として表示された何れかの文字ボタン２３に対応する位置でタッチパネル２ｂが押圧されることにより、押圧された位置に表示されている文字ボタン２３を選択するための入力が受け付けられる。
【００４７】
また、画面切替ボタン（図示省略）が押圧されることにより、機能選択画面への画面切替を指示する旨の入力が行われた場合、機能制御部５ｃは図６（ａ）に示すような機能選択画面を液晶パネル２ａに表示させる。この機能選択画面には、選択候補として、機能制御部５ｃにより制御される機能に対応する選択項目（図６（ａ）では各機能名「ワンセグ」「ＣＤ」「ラジオ」「カーナビ」「エアコン」に対応するボタン２４）が表示される。車両が走行中でなく、タッチパネル２ｂ及び操作部３に対する任意の入力を受け付ける状態の場合には、選択候補として表示された何れかのボタン２４に対応する位置でタッチパネル２ｂが押圧されることにより、押圧された位置に表示されているボタン２４を選択するための入力が受け付けられる。
【００４８】
さらに、例えば図６（ａ）で液晶パネル２ａに表示されている機能名「ＣＤ」に対応するボタン２４がタッチパネル２ｂを介して押圧された場合、機能制御部５ｃは図６（ｂ）に示すような機能選択画面を液晶パネル２ａに表示させる。この機能選択画面には、選択候補として、機能制御部５ｃにより制御される機能に対応する選択項目（図６（ｂ）では各機能名「再生」「ＨＤＤに録音」に対応するボタン２５）が表示される。車両が走行中でなく、タッチパネル２ｂ及び操作部３に対する任意の入力を受け付ける状態の場合には、選択候補として表示された何れかのボタン２５に対応する位置でタッチパネル２ｂが押圧されることにより、押圧された位置に表示されているボタン２５を選択するための入力が受け付けられる。
【００４９】
図２に戻り、ＳＡ３でタッチパネル２ｂ及び操作部３に対する任意の入力を受け付ける状態とした後、制御部５は入力規制処理を終了する。
【００５０】
（処理−選択入力受付処理）
次に、選択入力受付処理について説明する。図７は選択入力受付処理のフローチャートである。選択入力受付処理は、車両が走行中であっても選択候補の選択入力を受け付けるための処理であり、選択されるべき選択候補が液晶パネル２ａに表示されている場合に、所定周期にて繰り返し実行される。なお、選択入力受付処理は、上述の入力規制処理と並行して適宜実行される。
【００５１】
図７に示すように、選択入力受付処理が起動されると、出力制御部５ａは車両が走行を開始したか否かを判定する（ＳＢ１）。車両が走行を開始したか否かの判定基準は任意で、例えば車速センサ７からの出力に基づき特定された車速が閾値（例えば５ｋｍ／ｈ）以上となった場合に、車両が走行を開始したと判定する。あるいは、パーキングブレーキがＯＦＦとされた場合や、シフトポジションがパーキング以外のポジションとなった場合に車両が走行を開始したと判定してもよく、これらの条件を任意に組み合わせて車両が走行を開始したか否かを判定してもよい。
【００５２】
ＳＢ１の判定の結果、車両が走行を開始していない（車両が停止している）と判定した場合（ＳＢ１、Ｎｏ）、この選択入力受付処理によって選択入力を受け付ける必要はないものとし、制御部５は選択入力受付処理を終了する。この場合には、車両は停止しているため、図２の入力規制処理において、制御部５はタッチパネル２ｂ及び操作部３に対する任意の入力を受け付ける状態とする（ＳＡ３）。
【００５３】
図７に戻り、車両が走行を開始したと判定した場合（ＳＢ１、Ｙｅｓ）、出力制御部５ａは、車両が走行を開始した時に、選択候補が所定の基準を満たしていたか否かを判定する（ＳＢ２）。この「所定の基準」とは、各選択候補を音声にて順次出力する場合に、当該「所定の基準」を満たすことで、利用者が運転操作に支障なく全ての選択候補の内容を音声にて把握できることとなる基準であり、例えば「選択候補の数が所定数以下であること」を基準とする。
【００５４】
例えば、選択候補の数が３以下であることを基準とした場合、車両が走行を開始した時の液晶パネル２ａが図３（ａ）の状態であった場合には、選択候補として「岡崎市」、「岡崎市役所」等の５２９件の選択候補が存在することから、選択候補が所定の基準を満たしていないと判定する。また、車両が走行を開始した時の液晶パネル２ａが図３（ｂ）の状態であった場合、選択候補として「岡崎シネマワールド本館」、「岡崎シネマワールド新館」、及び「岡崎シネマワールド前」の３件の地点名に対応するボタン２０のみが液晶パネル２ａに表示されていることから、選択候補が所定の基準を満たすと判定する。
【００５５】
また、車両が走行を開始した時の液晶パネル２ａが図４（ａ）の状態であった場合、選択候補として各機能名「目的地設定」「地点登録」「周辺地図表示」に対応する３つのボタン２１のみが液晶パネル２ａに表示されていることから、選択候補が所定の基準を満たすと判定する。また、車両が走行を開始した時の液晶パネル２ａが図４（ｂ）の状態であった場合、選択候補として各機能名「設定する」「キャンセル」に対応する２つのボタン２２のみが液晶パネル２ａに表示されていることから、選択候補が所定の基準を満たすと判定する。
【００５６】
また、車両が走行を開始した時の液晶パネル２ａが図５の状態であった場合、選択候補として「し」「ほ」及び「ま」の３文字に対応する文字ボタン２３が液晶パネル２ａに表示されていることから、選択候補が所定の基準を満たすと判定する。
【００５７】
さらに、車両が走行を開始した時の液晶パネル２ａが図６（ａ）の状態であった場合、選択候補として各機能名「ワンセグ」「ＣＤ」「ラジオ」「カーナビ」「エアコン」に対応する５つのボタン２４が液晶パネル２ａに表示されていることから、選択候補が所定の基準を満たしていないと判定する。また、車両が走行を開始した時の液晶パネル２ａが図６（ｂ）の状態であった場合、選択候補として各機能名「再生」「ＨＤＤに録音」に対応する２つのボタン２５のみが液晶パネル２ａに表示されていることから、選択候補が所定の基準を満たすと判定する。
【００５８】
あるいは、「選択候補の選択に必要な情報を音声にて順次出力するための合計所要時間が所定時間以下であること」を基準とする。ここで、「選択候補の選択に必要な情報」とは、例えば図３における検索結果の各地点名（ボタン２０上に表示されている地点名の他、液晶パネル２ａに表示されていない地点名を含んでもよい）や、図４及び図６における各機能名（ボタン２１、ボタン２２、ボタン２４、及びボタン２５上に表示されている機能名の他、液晶パネル２ａに表示されていない機能名を含んでもよい）、図５において強調表示されている各文字ボタン２３の文字等が含まれる。また、図５の例では、強調表示されている各文字ボタン２３の文字を含む地点名（「し」を含む「岡崎シネマワールド新館」、「ほ」を含む「岡崎シネマワールド本館」、及び「ま」を含む「岡崎シネマワールド前」等）を、「選択候補の選択に必要な情報」としてもよい。
【００５９】
また、「合計所要時間」としては、例えば選択候補の選択に必要な情報の各々を音声にて出力する際の出力時間の合計値を用いる。車両が走行を開始した時の液晶パネル２ａが図３（ａ）の状態であった場合、選択候補となっている５２９件の各地点名を音声出力する際の出力時間が１７５３秒であるとすると、例えば、合計所要時間が２０秒以下であることを基準とした場合には、選択候補が所定の基準を満たさないと判定する。また、車両が走行を開始した時の液晶パネル２ａが図３（ｂ）の状態であった場合において、選択候補として液晶パネル２ａに表示されているボタン２０上の各地点名を音声出力する際の出力時間が、「岡崎シネマワールド本館」が４秒、「岡崎シネマワールド新館」が４秒、「岡崎シネマワールド前」が３秒であるとすると、合計所要時間は４＋４＋３＝１１秒となる。従って、例えば、合計所要時間が２０秒以下であることを基準とした場合には、選択候補が所定の基準を満たすと判定する。
【００６０】
また、車両が走行を開始した時の液晶パネル２ａが図４（ａ）の状態であった場合において、選択候補として液晶パネル２ａに表示されているボタン２１上の各機能名「目的地設定」「地点登録」及び「周辺地図表示」を音声出力する際の出力時間が、それぞれ２秒であるとすると、合計所要時間は６秒となる。従って、例えば、合計所要時間が２０秒以下であることを基準とした場合には、選択候補が所定の基準を満たすと判定する。また、車両が走行を開始した時の液晶パネル２ａが図４（ｂ）の状態であった場合において、選択候補として液晶パネル２ａに表示されているボタン２２上の各機能名を音声出力する際の出力時間が、「設定する」が３秒、「キャンセル」が２秒であるとすると、合計所要時間は５秒となる。従って、例えば、合計所要時間が２０秒以下であることを基準とした場合には、選択候補が所定の基準を満たすと判定する。
【００６１】
また、車両が走行を開始した時の液晶パネル２ａが図５の状態であった場合において、選択候補として液晶パネル２ａに表示されている文字ボタン２３上の各文字「し」「ほ」及び「ま」を音声出力する際の出力時間が、それぞれ１秒であるとすると、合計所要時間は３秒となる。従って、例えば、合計所要時間が２０秒以下であることを基準とした場合には、選択候補が所定の基準を満たすと判定する。なお、図５において「おかざきしねまわーるど」の末尾「ど」の次に入力される可能性のある文字として予測された「し」を含む「岡崎シネマワールド新館」、「ほ」を含む「岡崎シネマワールド本館」、及び「ま」を含む「岡崎シネマワールド前」の各地点名を音声出力する際の合計所要時間が所定時間以下か否かを判定してもよい。
【００６２】
さらに、車両が走行を開始した時の液晶パネル２ａが図６（ａ）の状態であった場合において、選択候補として液晶パネル２ａに表示されているボタン２４上の各機能名「ワンセグ」「ＣＤ」「ラジオ」「カーナビ」及び「エアコン」を音声出力する際の出力時間が、それぞれ２秒であるとすると、合計所要時間は１０秒となる。従って、例えば、合計所要時間が２０秒以下であることを基準とした場合には、選択候補が所定の基準を満たすと判定する。また、車両が走行を開始した時の液晶パネル２ａが図６（ｂ）の状態であった場合において、選択候補として液晶パネル２ａに表示されているボタン２５上の各機能名を音声出力する際の出力時間が、「再生」が２秒、「ＨＤＤに録音」が３秒であるとすると、合計所要時間は５秒となる。従って、例えば、合計所要時間が２０秒以下であることを基準とした場合には、選択候補が所定の基準を満たすと判定する。
【００６３】
あるいは、選択候補の選択に必要な情報を音声にて順次出力する際の各選択候補間の間隔（例えば２秒間）も含めて、選択候補の選択に必要な全ての情報の音声出力を開始してから終了するまでの時間を用いてもよい。
【００６４】
また、選択候補の数と、選択候補の選択に必要な情報を音声にて順次出力するための合計所要時間とを組み合わせて、選択候補が所定の基準を満たすか否かを判定してもよい。例えば、選択候補の数が所定数以下、且つ選択候補の選択に必要な情報を音声にて順次出力するための合計所要時間が所定時間以下の場合に選択候補が所定の基準を満たすと判定してもよく、あるいは、選択候補の数が所定数以下、又は選択候補の選択に必要な情報を音声にて順次出力するための合計所要時間が所定時間以下のいずれかの場合に選択候補が所定の基準を満たすと判定してもよい。
【００６５】
図７に戻り、ＳＢ２の判定の結果、車両が走行を開始した時に、選択候補が所定の基準を満たしていないと判定した場合（ＳＢ２、Ｎｏ）、選択候補の選択に必要な情報を音声にて順次出力しても、例えば出力される情報が多すぎて全ての選択候補の内容を把握することができない等、利用者にとって所望の選択候補の選択が困難なものとし、制御部５は選択入力受付処理を終了する。この場合には、車両が走行を開始しているため、図２の入力規制処理において、制御部５はタッチパネル２ｂ及び操作部３に対する入力を規制する状態とする（ＳＡ２）。従って、車両が停止するまで、利用者は選択候補の選択ができない状態となる。
【００６６】
図７に戻り、ＳＢ２の判定の結果、車両が走行を開始した時に、選択候補が所定の基準を満たすと判定した場合（ＳＢ２、Ｙｅｓ）、出力制御部５ａは、最初の選択候補の選択に必要な情報を音声にて出力するようにスピーカ４を制御する（ＳＢ３）。「最初の選択候補」としては、例えば図３（ｂ）において選択候補として液晶パネル２ａに表示された各地点名に対応するボタン２０のうち最上段のボタン２０（「岡崎シネマワールド本館」のボタン２０）や、図４（ａ）において選択候補として液晶パネル２ａに表示された各機能名に対応するボタン２１のうち最上段に配置されているボタン２１（「目的地設定」のボタン２１）、図４（ｂ）において選択候補として液晶パネル２ａに表示された各機能名に対応するボタン２２のうち最上段に配置されているボタン２２（「設定する」のボタン２２）、図５において選択候補として液晶パネル２ａに強調表示された文字ボタン２３のうち５０音順で最も上位の文字ボタン２３（「し」の文字ボタン２３）、図６（ａ）において選択候補として液晶パネル２ａに表示された各機能名に対応するボタン２４のうち最左上に配置されているボタン２４（「ワンセグ」のボタン２４）、あるいは図６（ｂ）において選択候補として液晶パネル２ａに表示された各機能名に対応するボタン２５のうち最上段に配置されているボタン２５（「再生」のボタン２５）が用いられる。
【００６７】
図７に戻り、ＳＢ３で最初の選択候補の選択に必要な情報を音声にて出力するようにスピーカ４を制御した後、出力制御部５ａは、スピーカ４から最初の選択候補の選択に必要な情報が音声にて出力されるタイミングに対応するタイミングで、モニタ２における表示領域の任意の位置を触れる動作がタッチパネル２ｂによって検出された否かを判定する（ＳＢ４）。ここで、「選択候補の選択に必要な情報が音声にて出力されるタイミングに対応するタイミング」とは、例えば、その選択候補の選択に必要な情報が音声にてスピーカ４から出力されている期間中のタイミングを示す。さらに、その選択候補の選択に必要な情報が音声にてスピーカ４から出力された後、次の選択候補の選択に必要な情報の出力が開始されるまでの期間（例えば２秒間）中のタイミングを含めてもよい。また、「モニタ２における表示領域の任意の位置を触れる動作」とは、例えばタッチパネル２ｂ上の任意の位置を触れる動作であり、選択候補として液晶パネル２ａに表示された任意のボタン上の位置や、ボタンや文字等が表示されていない背景画像上の位置等、タッチパネル２ｂ上のあらゆる位置を触れる動作を含む。
【００６８】
その結果、スピーカ４から最初の選択候補の選択に必要な情報が音声にて出力されるタイミングに対応するタイミングで、モニタ２における表示領域の任意の位置を触れる動作がタッチパネル２ｂによって検出された場合（ＳＢ４、Ｙｅｓ）、出力制御部５ａは、最初の選択候補を選択するための入力がタッチパネル２ｂによって受け付けられたものとする（ＳＢ５）。例えば、図３（ｂ）において最初の選択候補として液晶パネル２ａに表示されたボタン２０の地点名「岡崎シネマワールド本館」がスピーカ４から出力されている期間中に、タッチパネル２ｂ上の任意の位置が触れられた場合、出力制御部５ａは、タッチパネル２ｂにおいて押圧された位置に関わらず地点名「岡崎シネマワールド本館」が選択されたものとする。これにより、地点名「岡崎シネマワールド本館」に対応するボタン２０の位置を目視にて確認しなくても、地点名「岡崎シネマワールド本館」がスピーカ４から出力されている間にタッチパネル２ｂ上の任意の位置に触れるだけで、利用者は地点名「岡崎シネマワールド本館」を選択することが可能となる。その後、制御部５は選択入力受付処理を終了する。
【００６９】
図７に戻り、ＳＢ４においてスピーカ４から最初の選択候補の選択に必要な情報が音声にて出力されるタイミングに対応するタイミングで、モニタ２における表示領域の任意の位置を触れる動作がタッチパネル２ｂによって検出されなかった場合（ＳＢ４、Ｎｏ）、出力制御部５ａは、次の選択候補の有無を判定する（ＳＢ６）。「次の選択候補」としては、例えば図３（ｂ）において選択候補として液晶パネル２ａに表示された各地点名に対応するボタン２０のうち、前回スピーカ４から地点名が音声にて出力されたボタン２０の下段に位置するボタン２０や、図４（ａ）において選択候補として液晶パネル２ａに表示された各機能名に対応するボタン２１のうち、前回スピーカ４から機能名が音声にて出力されたボタン２１の下段に位置するボタン２１、図４（ｂ）において選択候補として液晶パネル２ａに表示された各機能名に対応するボタン２２のうち、前回スピーカ４から機能名が音声にて出力されたボタン２２の下段に位置するボタン２２、図５において選択候補として液晶パネル２ａに強調表示された文字ボタン２３のうち、５０音順で前回スピーカ４から音声にて出力された文字ボタン２３の次の文字ボタン２３、図６（ａ）において選択候補として液晶パネル２ａに表示された各機能名に対応するボタン２４のうち、前回スピーカ４から機能名が音声にて出力されたボタン２４の下段に位置するボタン２４、あるいは図６（ｂ）において選択候補として液晶パネル２ａに表示された各機能名に対応するボタン２５のうち、前回スピーカ４から機能名が音声にて出力されたボタン２５の下段に位置するボタン２５が用いられる。
【００７０】
図７に戻り、ＳＢ６において次の選択候補が無いと判定した場合（ＳＢ６、Ｎｏ）、これ以上選択候補の選択入力を受け付ける必要はないものとし、制御部５は選択入力受付処理を終了する。
【００７１】
一方、次の選択候補があると判定した場合（ＳＢ６、Ｙｅｓ）、出力制御部５ａは、当該次の選択候補の選択に必要な情報を音声にて出力するようにスピーカ４を制御する（ＳＢ７）。
【００７２】
続いて、出力制御部５ａは、ＳＢ７でスピーカ４から選択候補の選択に必要な情報が音声にて出力されるタイミングに対応するタイミングで、モニタ２における表示領域の任意の位置を触れる動作がタッチパネル２ｂによって検出されたか否かを判定する（ＳＢ８）。
【００７３】
その結果、ＳＢ７でスピーカ４から選択候補の選択に必要な情報が音声にて出力されるタイミングに対応するタイミングで、モニタ２における表示領域の任意の位置を触れる動作がタッチパネル２ｂによって検出された場合（ＳＢ８、Ｙｅｓ）、出力制御部５ａは、当該選択候補を選択するための入力がタッチパネル２ｂによって受け付けられたものとする（ＳＢ９）。例えば、図３（ｂ）において次の選択候補として液晶パネル２ａに表示されたボタン２０の地点名「岡崎シネマワールド新館」がスピーカ４から出力されている期間中に、タッチパネル２ｂ上の任意の位置が触れられた場合、出力制御部５ａは、タッチパネル２ｂにおいて押圧された位置に関わらず地点名「岡崎シネマワールド新館」が選択されたものとする。これにより、地点名「岡崎シネマワールド新館」に対応するボタン２０の位置を目視にて確認しなくても、地点名「岡崎シネマワールド本館」がスピーカ４から出力されている間にタッチパネル２ｂ上の任意の位置に触れるだけで、利用者は地点名「岡崎シネマワールド新館」を選択することが可能となる。すなわち、スピーカ４から選択候補の選択に必要な情報が音声にて出力されるタイミングに対応するタイミングで、各選択候補について共通に設定された動作（ここでは、タッチパネル２ｂ上の任意の位置を触れる動作）を行うだけで、利用者は所望の選択候補を選択することが可能となる。なお、「各選択候補について共通に設定された動作」は、選択候補を確定するための単一の動作であることが望ましい。ＳＢ９の処理の後、制御部５は選択入力受付処理を終了する。
【００７４】
図７に戻り、ＳＢ８において、ＳＢ７でスピーカ４から選択候補の選択に必要な情報が音声にて出力されるタイミングに対応するタイミングで、モニタ２における表示領域の任意の位置を触れる動作がタッチパネル２ｂによって検出されなかった場合（ＳＢ８、Ｎｏ）、出力制御部５ａはＳＢ６に戻り、さらに次の選択候補の有無を判定する（ＳＢ６）。
【００７５】
（効果）
このように本実施の形態によれば、車両が走行開始した時に、選択候補が所定基準を満たす場合に、各選択候補の選択に必要な情報を音声にて順次出力するようにスピーカ４を制御するので、所定基準を満たす選択候補に絞って、利用者がモニタ２を目視しなくとも把握可能な態様で、当該各選択候補の選択に必要な情報を出力することができる。さらに、各選択候補について共通に設定された動作を、スピーカ４から音声にて出力された選択候補のいずれかを選択するための入力として受け付けるので、利用者に、タッチパネル２ｂを目視しボタンの位置等を確認しなくともスピーカ４から出力された情報に基づいて簡易な動作を行うだけで所望の選択候補を選択させることができる。すなわち、安全性を確保しつつ走行中における入力装置１の操作性を向上させることができる。
【００７６】
また、出力制御部５ａは、車両が走行開始した時に、選択候補の数が所定数以下の場合に、各選択候補の選択に必要な情報を音声にて順次出力するようにスピーカ４を制御するので、車両走行開始後においても、利用者が運転操作に支障なく全ての選択候補の内容を音声にて把握できる場合に限って、利用者がモニタ２を目視しなくても把握可能な態様で、当該選択候補の選択に必要な情報を出力することができ、利用者を混乱させることなく所望の選択候補を容易に選択させることができる。
【００７７】
また、出力制御部５ａは、車両が走行開始した時に、選択候補の選択に必要な情報を音声にて順次出力するための合計所要時間が所定時間以下の場合に、各選択候補の選択に必要な情報を音声にて順次出力するようにスピーカ４を制御するので、車両走行開始後においても、利用者が運転操作に支障なく全ての選択候補の内容を音声にて把握できる場合に限って、利用者がモニタ２を目視しなくても把握可能な態様で、当該選択候補の選択に必要な情報を出力することができ、利用者を混乱させることなく所望の選択候補を容易に選択させることができる。
【００７８】
また、タッチパネル２ｂは、モニタ２における表示領域の任意の位置を触れる動作を、スピーカ４から音声にて出力された選択候補のいずれかを選択するための入力として受け付けるので、車両走行開始後であっても、利用者に、タッチパネル２ｂを目視しボタンの位置等を確認しなくともタッチパネル２ｂ上の任意の位置に触れるという簡易な動作を行うだけで所望の選択候補を選択させることができる。すなわち、安全性を確保しつつ走行中における入力装置１の操作性を一層向上させることができる。
【００７９】
また、タッチパネル２ｂは、スピーカ４から選択候補の選択に必要な情報が音声にて出力されるタイミングに対応するタイミングで行われた動作を、当該選択候補を選択するための入力として受け付けるので、利用者に、タッチパネル２ｂを目視しボタンの位置等を確認しなくともスピーカ４から選択候補の選択に必要な情報が音声にて出力されるタイミングに合わせて簡易な動作を行うだけで所望の選択候補を選択させることができる。すなわち、安全性を確保しつつ走行中における入力装置１の操作性を一層向上させることができる。
【００８０】
また、モニタ２は、選択候補として、情報検索部５ｂによる情報検索結果を表示するので、車両走行開始後においても、利用者に、タッチパネル２ｂを目視しボタンの位置等を確認しなくとも簡易な動作を行うだけで所望の情報検索結果を選択させることができる。
【００８１】
また、モニタ２は、選択候補として、機能制御部５ｃより制御される機能に対応する選択項目を表示するので、利用者に、タッチパネル２ｂを目視しボタンの位置等を確認しなくとも簡易な動作を行うだけで所望の機能に対応する選択項目を選択させることができる。
【００８２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００８４】
（選択候補について）
上記実施の形態では、情報検索部５ｂによる検索結果（図３（ｂ）における地点名、及び図５における文字ボタン２３）や、機能制御部５ｃにより制御される機能に対応する選択項目（図４及び図６における機能名）が全て選択候補として液晶パネル２ａに表示されている場合を例として説明したが、必ずしも全ての選択候補が液晶パネル２ａに同時に表示されていなくともよい。この場合、液晶パネル２ａに表示されていなかった選択候補についても、所定の基準を満たしている場合には、選択入力受付処理において当該選択候補の選択に必要な情報を音声にてスピーカ４から出力させ、当該選択候補を、選択可能としてもよい。
【００８５】
また、選択入力受付処理のＳＢ２において、車両が走行を開始した時に選択候補が所定の基準を満たしていたか否かを判定する際、液晶パネル２ａに表示されている階層の選択候補が所定の基準を満たすか否かを判定する場合を例として説明したが、さらに下位の階層に存在する全ての選択候補も含めて所定の基準を満たすか否かを判定するようにしてもよい。例えば、車両が走行を開始した時の液晶パネル２ａが図６（ａ）の状態であった場合、選択候補として、液晶パネル２ａに表示されている選択候補「ワンセグ」「ＣＤ」「ラジオ」「カーナビ」「エアコン」に加えて、図６（ｂ）に例示した「ＣＤ」の下位の階層に存在する選択候補「再生」及び「ＨＤＤで録音」や、「カーナビ」の下位の階層に存在する選択候補（例えば「経路探索」「地点検索」「機能設定」）等、下位の階層に存在する全ての選択候補を含めて、所定の基準を満たすか否かを判定するようにしてもよい。この場合、次の選択が不要な最終的な選択候補が所定の基準を満たしている場合にのみ各選択候補の選択に必要な情報を出力するので、選択候補の最終的な確定動作を利用者に容易に行わせることができる。
【００８６】
（情報検索部について）
上記実施の形態では、情報検索部５ｂがデータ記録部６における地図情報ＤＢ６ａを参照して地点を検索する場合を例として説明したが、例えばデータ記録部６における音楽ＤＢ６ｂを参照して曲名を検索する等、情報検索部５ｂが任意の情報を検索し、その検索結果を選択候補として液晶パネル２ａに表示させてもよい。
【００８７】
（選択動作について）
上述の実施の形態では、各選択候補について共通に設定された動作として、スピーカ４から選択候補の選択に必要な情報が音声にて出力されるタイミングに対応するタイミングで、モニタ２における表示領域の任意の位置を触れる動作がタッチパネル２ｂによって検出された場合、当該選択候補を選択するための入力がタッチパネル２ｂによって受け付けられたものとする例を説明したが、その他の動作を選択入力として受け付けるようにしてもよい。例えば、操作部３を介した所定の入力動作（例えばハンドルの近傍に配置された特定のボタンを押下する動作等）を、選択入力として受け付けてもよい。あるいは、公知の音声認識装置により特定の音声（例えば「確定」や「それ」等）が検出された場合に、当該音声を選択入力として受け付けてもよい。
【符号の説明】
【００８８】
１  入力装置
２  モニタ
２ａ  液晶パネル
２ｂ  タッチパネル
３  操作部
４  スピーカ
５  制御部
５ａ  出力制御部
５ｂ  情報検索部
５ｃ  機能制御部
６  データ記録部
６ａ  地図情報ＤＢ
６ｂ  音楽ＤＢ
７  車速センサ
２０、２１、２２、２４、２５  ボタン
２３  文字ボタン
【図１】
2011253304.tif 000003
【図２】
2011253304.tif 000004
【図３】
2011253304.tif 000005
【図４】
2011253304.tif 000006
【図５】
2011253304.tif 000007
【図６】
2011253304.tif 000008
【図７】
2011253304.tif 000009